(57)【要約】【課題】  風の強い日でも線香やロウソクの火が消えることがないと共に、線香やロウソクの火が付け易く、内部が線香の煙りやロウソクの煤で汚れることがなく、かつ線香立て及びロウソク立ての掃除や内部の掃除も容易な墓用前置き体とする。【解決手段】  墓の納骨室１の前面に設置される墓用前置き体Ａであり、墓用前置き体Ａは前面に開口部を有する収納室３と、収納室３の両側に花立て４を備える。収納室３の開口部に観音開きする扉５を設ける。扉５の内側に線香立て１３及びロウソク立て１４を設けた台１２を、扉５の開閉と一緒に出入りするよう両側の扉５にそれぞれ設ける。【選択図】  図１
2005207091.tif 000002
【特許請求の範囲】
【請求項１】
墓の納骨室の前面に設置される墓用前置き体であり、この墓用前置き体は前面に開口部を有する収納室と、この収納室の両側に花立てを備え、収納室の前記開口部に観音開きする扉が設けられると共に、この扉の内側に線香立て及びロウソク立てを設けた台が扉の開閉と一緒に出入りするよう両側の扉にそれぞれ設けられていることを特徴とする墓用前置き体。
【請求項２】
収納室と花立てが一体に形成され、花立てに収納室の内部空間と連続する空間部が形成され、台の一部が花立ての空間部内に突入していることを特徴とする請求項１記載の墓用前置き体。
【請求項３】
扉に受台が設けられ、この受台上に前記台が着脱可能に設けられていることを特徴とする請求項１又は２記載の墓用前置き体。
【請求項４】
扉に通気孔が設けられていることを特徴とする請求項１から３のいずれかに記載の墓用前置き体。
【請求項５】
収納室の後壁に納骨室に開口する通気口が設けられていることを特徴とする請求項１から４のいずれかに記載の墓用前置き体。
【請求項６】
収納室の床面が扉より前方に突出し、この突出部に収納室の不使用時に扉の開放を阻止するストッパーが着脱可能に設けられていることを特徴とする請求項１から５のいずれかに記載の墓用前置き体。
【発明の詳細な説明】
【技術分野】
【０００１】
本発明は、墓の納骨室の前面に設置され、線香立て及びロウソク立てが収納される収納室と、その両側に花立てを備えた墓用前置き体に関するものである。
【背景技術】
【０００２】
従来、墓石の前面に花立てと共に線香立て及びロウソク立てが設けられている。この線香立て及びロウソク立ては、穏やかな日であれば線香やロウソクの火が風で消えることはないが、風の強い日であると簡単に火がつかず、火がついても直ぐに消えたり、倒れたりし、なかなか最後まで燃え尽きることがなく、燃え残りの線香やロウソクがそのままに置かれて墓前を汚す原因ともなっている。
【０００３】
そこで、風の強い日であっても、線香やロウソクの火が消えないようにしたものとして、特開平１０ー８８８６７の墓前箱や、実開平７ー３４１６７の墓用線香及びロウソク立てが提案されている。
特開平１０ー８８８６７の墓前箱は、箱状の本体の底板に線香立て及びロウソク立てが収納されているもので、本体の扉を開けると内部に線香立て及びロウソク立てが置かれたままの状態である。
又、実開平７ー３４１６７の墓用線香及びロウソク立ても枠体の側面開口部に扉を取り付け、枠体内に線香及びロウソク立てを収納するもので、枠体の扉を開けると内部に線香立て及びロウソク立てが置かれたままの状態である。
【０００４】
このように従来のものは、箱状の本体又は枠体の内部に線香立て及びロウソク立てを収納して使用されるものであるため、風の強い日は箱状の本体又は枠内で火を付けなければならないので、狭い内部での着火がし難いと共に、内部は例え排煙口を設けても線香の煙りやロウソクの煤で汚れ易い問題点を有している。又線香の灰が残ったり、ロウソクが溶けて落ちたりした場合に、内部の掃除がし難い問題点を有している。
【特許文献１】特開平１０ー８８８６７
【特許文献２】実開平７ー３４１６７
【発明の開示】
【発明が解決しようとする課題】
【０００５】
上記点より、本発明は風の強い日でも線香やロウソクの火が消えることがないと共に、線香やロウソクの火がつけ易く、内部が線香の煙りやロウソクの煤で汚れることがなく、かつ線香立て及びロウソク立ての掃除や内部の掃除も容易な墓用前置き体を提供しようとするものである。
【課題を解決するための手段】
【０００６】
上記課題を解決するため請求項１記載の本発明墓用前置き体は、墓の納骨室の前面に設置される墓用前置き体であり、この墓用前置き体は前面に開口部を有する収納室と、この収納室の両側に花立てを備え、収納室の前記開口部に観音開きする扉が設けられると共に、この扉の内側に線香立て及びロウソク立てを設けた台が扉の開閉と一緒に出入りするよう両側の扉にそれぞれ設けられていることを特徴とするものである。
【０００７】
このような構成とすることにより、観音開きする扉を開けると、扉と一緒に線香立て及びロウソク立てを設けた台が収納室から出るので、線香とロウソクを台の線香立て及びロウソク立てに容易に立てることができると共に火も付け易い。
そして、線香とロウソクに火を付ける時は、両側の扉が開くことにより強風でも扉が風防となり、線香やロウソクの火がつき易いと共に、付いた火は途中で風により消えるようなことがない。
【０００８】
又、線香とロウソクは収納室の外で燃えるので、収納室内は線香の煙りやロウソクの煤で汚れない。更に、線香立て及びロウソク立てが汚れて掃除する時も、扉を開ければ線香立て及びロウソク立てが収納室から出るので、掃除が容易であると共に収納室の内部の掃除もし易い。
【０００９】
そして、扉を閉じると線香立て及びロウソク立てが台と一緒に収納室に収められるので、風雨にさらされることがない。
【００１０】
次に、請求項２記載の本発明墓用前置き体は、請求項１記載の墓用前置き体において、収納室と花立てが一体に形成され、花立てに収納室の内部空間と連続する空間部が形成され、台の一部が花立ての空間部内に突入していることを特徴とするものである。
【００１１】
このような構成とすることにより、収納室の内部空間が広くなり、台のスペースも増やすことができるので、台に線香立てやロウソク立てを多く設けることが可能となる。
【００１２】
次に、請求項３記載の本発明墓用前置き体は、請求項１又は２記載の墓用前置き体において、扉に受台が設けられ、この受台上に前記台が着脱可能に設けられていることを特徴とするものである。
【００１３】
このような構成とすることにより、線香立て及びローソク立てを掃除する時等に、台を取り外すことができるので掃除がし易く便利である。
【００１４】
次に、請求項４記載の本発明墓用前置き体は、請求項１から３のいずれかに記載の墓用前置き体において、扉に通気孔が設けられていることを特徴とするものである。
【００１５】
このような構成とすることにより、通気孔から収納室の内部に空気が流通するので、収納室の換気が可能となる。
【００１６】
次に、請求項５記載の本発明墓用前置き体は、請求項１から４のいずれかに記載の墓用前置き体において、収納室の後壁に納骨室に開口する通気口が設けられていることを特徴とするものである。
【００１７】
このような構成とすることにより、収納室の扉を開放した時、又は通気孔から収納室内に空気が流通し納骨室の換気が可能となると共に、通気口は直接外気にさらされることがないので、納骨室の内部に雨が入り込むことが防止される。
【００１８】
次に、請求項６記載の本発明墓用前置き体は、請求項１から５のいずれかに記載の墓用前置き体において、収納室の床面が扉より前方に突出し、この突出部に収納室の不使用時に扉の開放を阻止するストッパーが着脱可能に設けられていることを特徴とするものである。
【００１９】
このような構成とすることにより、使用時にストッパーを外して扉を開け、不使用時にストッパーを付けておけば、不使用時に強風やその他の外的要因により扉が開くことがない。
【発明の効果】
【００２０】
本発明に係る墓用前置き体によれば、扉を開けると線香立て及びロウソク立てが収納室から出るので、線香やロウソクが立て易いし火も付け易い。
そして、扉が観音開きとなっているため、強風でも扉が両側からの風を遮り、風防の役目を果たすので、線香とロウソクに火が付き易いと共に、付いた火は人為的に消さない限り途中で風により消えることがないので、燃え残りの線香やロウソクがそのままに置かれて墓前を汚すことがない。
扉は風の強さや風向きにより両側の扉の開放度を調節できると共に、穏やかな日では片側の扉のみを開けての使用も可能である。
【００２１】
又、線香とロウソクは収納室の外で燃えるので、収納室内は線香の煙りやロウソクの煤で汚れることがない効果を有する。
線香立て及びロウソク立てが汚れて掃除をする時も、扉を開ければ線香立て及びロウソク立てが収納室からで出るので、掃除が容易であると共に収納室の内部の掃除もし易い。  そして、扉を閉じると線香立て及びロウソク立てが台と一緒に収納室に収められるので、風雨にさらされることがなく、線香立て及びロウソク立ての耐久性が増す。
【００２２】
請求項２の発明によれば、収納室の内部空間が広くなり、台のスペースも増すことができるので、台に線香立てやロウソク立てを多く設けることができる効果がある。
【００２３】
請求項３の発明によれば、線香立て及びローソク立てを掃除する時等に、台を取り外すことができるので掃除がし易く便利である。
【００２４】
請求項４の発明によれば、収納室の換気が可能となると共に、強い風雨時に扉を閉じて使用しても酸素が供給され、線香やロウソクの火が消えることがない。又内部の確認も可能となる。
【００２５】
請求項５の発明によれば、収納室の扉を開放した時、又は通気孔から納骨室内に空気が流通し納骨室の換気が可能となると共に、通気口は直接外気にさらされることがないので、納骨室の内部に雨が入り込むことが防止され、納骨室内が濡れるのを防止する効果がある。
【００２６】
請求項６の発明によれば、不使用時にストッパーを付けておけば、不使用時に強風やその他の外的要因により扉の開放が防止され、収納室内や線香立て及びロウソク立てが汚れない効果がある。
【発明を実施するための最良の形態】
【００２７】
以下、本発明の一実施の形態を図面に基づき説明する。
図１は本発明墓用前置き体の収納室の扉を開いた状態を示す斜視図、図２は同上の扉を閉じた状態の横断平面図、図３は同上の扉を閉じた状態の縦断正面図である。
【００２８】
本発明墓用前置き体Ａは、墓の納骨室１の前面で土台２上に設置され、前面に開口部を有する収納室３と、収納室３の両側に収納室３と一体の花立て４を備えている。墓用前置き体Ａは墓と同じ石製である。
【００２９】
収納室３は箱形で開口部に左右一対の扉５が設けられている。収納室３の内部空間６は花立て４の略中央部より下方で、収納室３側に設けた空間部７と連続している。
又、収納室３の後壁８に納骨室１に開口する通気口８ａが穿設され、通気口８ａに塵埃や虫等の侵入を防止する網状体９が固着されている。
花立て４は略中央部より上方が水入れ用穴４ａに形成され、花が挿し込まれる。
一対の扉５は、扉５の側部に取り付け軸５ａが扉５と一体に形成され、その上下端が扉５から突出し、収納室３の床面１０に設けた軸穴１０ａと、収納室３の天井面１１に設けた軸穴１１ａに回動可能に嵌入し、扉５は軸部５ａを支点として約９０°回動し、観音開きとなるように構成されている。
尚、床面１０及び天井面１１は閉鎖時の扉５より前方に突出している。
【００３０】
又、一対の扉５の内側下部に水平な受台１２が扉５と一体に設けられ、扉５の開閉と一緒に回動し、収納室３から出入りする。受台１２の後方部は花立て４の空間部７に突入している。
受台１２は両方の扉５が回動しても支えないように側部が円弧状に形成されると共に、受台１２の上面に突部１２ａが設けられ、この突部１２ａが嵌合する穴２０ａを下面に設け、受台１２と略同形状の台２０が受台１２上に着脱可能に設けられている。
この台２０の上面に従来通りの筒状の線香立て１３と皿状のロウソク立て１４が固定されている。線香立て１３及びロウソク立て１４は金属製であるが、勿論石製でもよい。台２０は石製である。
又、受台１２と台２０の結合は上記突部１２ａと穴２０ａに限定されるものではなく、受台１２の側端部に沿って立上り縁（図示せず）を形成して立上り縁の内側に台２０が着脱可能に嵌合するように構成することもできる。勿論、受台１２の上面に直接線香立て１３とローソク立て１４を固定することもできる。
【００３１】
又、一対の扉５は一方の側の扉５の前面に巾広の定規縁５ｂが一体に形成され、扉５の閉鎖時の定規縁５ｂの前方で収納室３の床面１０に孔１０ｂが穿設され、この孔１０ｂに定規縁５ｂの下部前面に支える方形体のストッパー１５が、その下面に設けたほぞ１５ａを着脱可能に嵌入している。このストッパー１５は収納室３の使用時は取り外し、不使用時に扉５が開放しないように取り付けられる。
尚、収納室３内の床面１０に土台２に設けた水切り（図示せず）に連絡する水抜き孔１０ｃが穿設されている。
【００３２】
扉５は複数の通気孔１６が設けられ、この通気孔１６は透かし彫りされ、装飾的な模様を構成するものとなっている。
又、通気孔１６は扉５を開け、線香立て１３及びロウソク立て１４に立てた線香及びロウソクに火を付ける時に、扉５が風防の機能を発揮できる程度の大きさ、数に形成される。この通気孔１６により、収納室３と納骨室１の換気が行われると共に、強い風雨時には扉５を閉じて使用しても酸素が供給され、線香やロウソクの火が消えることがない。又収納室３の内部の確認も可能である。
【図面の簡単な説明】
【００３３】
【図１】本発明墓用前置き体の収納室の扉を開いた状態を示す斜視図である。
【図２】本発明墓用前置き体の収納室の扉を閉じた状態を示す横断平面図である。
【図３】本発明墓用前置き体の収納室の扉を閉じた状態を示す縦断正面図である。
【符号の説明】
【００３４】
Ａ  墓用前置き体
１  納骨室
３  収納室
４  花立て
５  扉
６  内部空間
７  空間部
８ａ  通気口
１０  床面
１２  受台
１３  線香立て
１４  ロウソク立て
１５  ストッパー
１６  通気孔
２０  台
【図１】
2005207091.tif 000003
【図２】
2005207091.tif 000004
【図３】
2005207091.tif 000005